(57)【要約】【課題】カーナビゲーションシステム等において、起動時間を適切に設定できるようにする。【解決手段】  表示用の領域及び格納用の領域を有し、格納用領域内のデータを用いて表示用領域に書き込まれるイメージにより表示装置での画面表示がなされるＶＲＡＭと、各種画面の表示に使用するデータをＶＲＡＭの格納用領域に転送し、転送したデータを用いて表示用領域への書込みを行うことにより各種画面の表示を行う制御手段とを備え、電源投入時にオープニング画面の表示を行う表示処理装置において、格納領域へのデータ転送を、各種画面の表示に使用するデータのうちの一部についてはオープニング画面の表示中に行うとともに（ステップ１３、１４）、他の未転送のものについてはオープニング画面を通常の画面に切り替えた後に行うようにする（ステップ１５〜１９）。【選択図】図１
2005115107.tif 000002
【特許請求の範囲】
【請求項１】
表示用の領域及び格納用の領域を有し、前記格納用領域内のデータを用いて前記表示用領域に書き込まれるイメージにより表示装置での画面表示がなされるＶＲＡＭと、各種画面の表示に使用するデータを前記ＶＲＡＭの格納用領域に転送し、転送したデータを用いて前記表示用領域への書込みを行うことにより各種画面の表示を行う制御手段とを備え、電源投入時にオープニング画面の表示を行う表示処理装置において、
前記制御手段は、前記格納領域へのデータ転送を、各種画面の表示に使用するデータのうちの一部についてはオープニング画面の表示中に行うとともに、他の未転送のものについてはオープニング画面を通常の画面に切り替えた後に行うものであることを特徴とする表示処理装置。
【請求項２】
前記制御手段は、前記格納用領域へのデータ転送を、前記表示用領域の１回又は所定回数の書換え毎に、所定量ずつ行うものであることを特徴とする請求項１に記載の表示処理装置。
【請求項３】
表示用の領域及び格納用の領域を有し、前記格納用領域内のデータを用いて前記表示用領域に書き込まれるイメージにより表示装置での画面表示がなされるＶＲＡＭと、各種画面の表示に使用するデータを前記ＶＲＡＭの格納用領域に転送し、転送したデータを用いて前記表示用領域への書込みを行うことにより各種画面の表示を行う制御手段とを備えた表示処理装置において、
前記制御手段は、前記格納用領域へのデータ転送を、前記表示用領域の１回又は所定回数の書換え毎に所定量ずつ行うものであることを特徴とする表示処理装置。
【請求項４】
前記制御手段は、前記格納用領域へのデータ転送を、早期に使用される可能性の高いデータを優先して先に行うものであることを特徴とする請求項１〜３のいずれか１項に記載の表示処理装置。
【請求項５】
前記制御手段は、表示中の画面における表示内容に変更があった場合において、変更後の内容を表示するために必要なデータについて前記格納用領域への転送がなされていないときは、直ちに該転送を行うものであることを特徴とする請求項１〜４のいずれか１項に記載の表示処理装置。
【請求項６】
前記データはビットマップ形式のデータであることを特徴とする請求項１〜５のいずれか１項に記載の表示処理装置。
【請求項７】
前記制御手段は、前記格納用領域へのデータ転送を、容量が大きなビットマップファイルのデータを優先して先に行うものであることを特徴とする請求項６に記載の表示処理装置。
【請求項８】
請求項１〜７のいずれかの表示処理装置を用いてナビゲーションに必要な画面表示を行うことを特徴とするナビゲーション装置。
【請求項９】
コンピュータを、請求項１〜８のいずれかの装置における制御手段として機能させることを特徴とするプログラム。
【請求項１０】
制御手段が、各種画面の表示に使用するデータをＶＲＡＭの格納用領域に転送し、転送したデータを用いて前記ＶＲＡＭの表示用領域への書込みを行うことにより、表示装置における各種画面の表示を行う表示処理方法において、
制御手段が、オープニング画面用のデータを前記ＶＲＡＭの格納用領域に転送する工程と、
制御手段が、前記格納用領域内のオープニング画面用のデータを用いてオープニング画面の表示を行う工程と、
制御手段が、前記オープニング画面の表示後、他の画面の表示に使用するデータのうちの一部を前記格納用領域に転送する工程と、
制御手段が、前記一部のデータの転送後、前記オープニング画面を他の画面に切り替える工程と、
制御手段が、前記画面の切替え後、前記他の画面の表示に使用するデータのうちの前記一部以外のものを前記格納用領域に転送する工程とを具備することを特徴とする表示制御方法。
【請求項１１】
制御手段が、各種画面の表示に使用するデータをＶＲＡＭの格納用領域に転送し、転送したデータを用いて前記ＶＲＡＭの表示用領域への書込みを行うことにより、表示装置における各種画面の表示を行う表示処理方法において、
制御手段が、前記格納用領域へのデータ転送を、前記表示用領域の１回又は所定回数の書換え毎に所定データ量ずつ行うことを特徴とする表示処理装置。
【発明の詳細な説明】
【技術分野】
【０００１】
本発明は、表示処理装置、ナビゲーション装置、プログラム、及び表示処理方法に関する。
【背景技術】
【０００２】
従来、カーナビゲーションシステム等において、電源を投入した直後は、一定期間、操作入力を受け入れることなくオープニング画面を表示し、その後、通常画面の表示に移行してから操作入力を受け入れるようにしている。そして、オープニング画面を表示している間に、通常画面の表示に必要なビットマップデータをＶＲＡＭへ転送し、このビットマップデータを用いてＶＲＡＭの表示用領域に対する描画を行うことによりモニタへの通常画面表示を行うようにしている。
【０００３】
図２は、カーナビゲーションシステム等において、モニタへの画面表示を行う表示処理に関係する構成部分を示す。図中の２１は、制御用のプログラムや、画像表示に使用するフォント、ビットマップファイル等を記憶しているＲＯＭ、２２はＲＯＭ２１中のプログラムに従い、装置各部の動作制御やＲＯＭ２１等のアクセス制御を行うマイコン、２３はモニタ上の表示画面に対応する表示用領域、及び描画データやビットマップデータを格納するための格納用領域を有するＶＲＡＭ、２４は制御マイコン２２からの命令に基づき、ＶＲＡＭ２３の表示用領域へ描画を行うことによりモニタへの画面表示を行うグラフィックＬＳＩである。グラフィックＬＳＩ２４は描画処理に特化した素子であり、ＶＲＡＭ２３についてのアクセス制御も行う。
【０００４】
図３は電源投入後の画面表示に関する立ち上げ処理の従来の手順を示す。電源オンによりシステムが起動すると（ステップ３１）、まず、オープニング画面の表示を行う（ステップ３２）。すなわち、制御マイコン２２はＲＯＭ２１からオープニング画面用のビットマップファイルを読み出してグラフィックＬＳＩ２４へ転送する。グラフィックＬＳＩ２４は、転送されたビットマップファイルをＶＲＡＭ２３中の指定された領域に格納する。そして、グラフィックＬＳＩ２４は、格納したビットマップファイルを用いてＶＲＡＭ２３の表示用領域への書込みを行い、モニタ上にオープニング画面を表示する。
【０００５】
次に、ＲＯＭ２１に格納されている通常画面の表示に使用するすべてのビットマップファイルを、同様にして、ＶＲＡＭ２３の格納用領域に転送する（ステップ３３、３４）。すべてのビットマップファイルの転送が終了すると、通常画面の表示処理（ステップ３５）へ移行し、転送されたビットマップファイルのデータのうち、所定のものを用いてＶＲＡＭ２３の表示用領域への描画を行うことによって、最初の画面を表示する。これと同時に、ユーザによる操作入力の受入れが開始される。
【０００６】
一方、ＶＲＡＭへの描画を行う方法としては、グラフィックデータプロセッサが、描画コマンドを順次受け取る場合に、各描画コマンドに従ってＶＲＡＭへの描画を行うとともに各描画コマンドを別のＲＡＭに保存しておき、バッチ命令を受け取ったときには、保存してある各描画コマンドを一括して実行することにより、描画速度を向上させるようにしたものも知られている（たとえば特許文献１参照）。
【特許文献１】特開平５−３２４８４１号公報
【発明の開示】
【発明が解決しようとする課題】
【０００７】
しかしながら、図３に示すような処理手順によれば、ＶＲＡＭへ転送すべきビットマップデータの量が多い場合には、転送にかなりの時間を必要とする。かかる場合、オープニング画面の表示状態が長期間継続し、操作を行うことができるようになるまでの時間、つまり起動時間が長期化する。また、ＶＲＡＭへ転送すべきビットマップデータの量によって起動時間が変化するので、自動車メーカ等の顧客が要求する仕様どおりに、たとえば起動時間が数秒以内で終わるように設計することが困難である。
【０００８】
これを解決する方法として、よりアクセス速度の高いＩＣや、高クロック周波数のマイコンを使用することが考えられるが、そうするとコストアップに繋がるので現実的ではない。また、上述の公報に記載のような、描画コマンドを保存し、後で一括して実行する方法は、ビットマップデータを用いるものではないため、適用することはできない。
【０００９】
本発明の目的は、このような従来技術の問題点に鑑み、カーナビゲーションシステム等において、起動時間を適切に設定できるようにすることにある。
【課題を解決するための手段】
【００１０】
上記目的を達成するため、第１の発明に係る表示処理装置は、表示用の領域及び格納用の領域を有し、格納用領域内のデータを用いて表示用領域に書き込まれるイメージにより表示装置での画面表示がなされるＶＲＡＭと、各種画面の表示に使用するデータをＶＲＡＭの格納用領域に転送し、転送したデータを用いて表示用領域への書込みを行うことにより各種画面の表示を行う制御手段とを備え、電源投入時にオープニング画面の表示を行う表示処理装置において、制御手段は、格納領域へのデータ転送を、各種画面の表示に使用するデータのうちの一部についてはオープニング画面の表示中に行うとともに、他の未転送のものについてはオープニング画面を通常の画面に切り替えた後に行うものであることを特徴とする。
【００１１】
ここで、表示処理装置としては、たとえばカーナビゲーションシステムや車両のリアカメラによる映像の表示に使用されるものが該当する。表示装置としては、たとえば液晶表示装置が該当する。オープニング画面とは、電源オンから一定時間表示される画面を意味し、この画面が表示されている間、ユーザは、本装置が適用されたシステムへの操作入力を行うことができない。通常画面とは、オープニング画面以外の画面をいい、通常画面が表示されているとき、ユーザによる操作入力が許容される。
【００１２】
この構成において、オープニング画面が通常画面に切り替わると、ユーザの操作入力が許容されることになるが、オープニング画面の表示中に、通常画面の表示に使用するデータがＶＲＡＭの格納用領域に転送される。このとき従来は、通常画面の表示に使用するすべてのデータの転送が完了してから通常画面の表示に移行するようにしていたため、操作入力を行うことができるようになるまでの時間、すなわち起動時間が長期化する場合があった。
【００１３】
これに対し本発明によれば、通常画面の表示に使用されるビットマップデータのうちの一部をオープニング画面の表示中に転送し、他の未転送のものを通常画面に切り替わってから転送するようにしたため、起動時間を短縮することができる。また、オープニング画面の表示中に転送するデータを適当に設定することにより、起動時間を自由に調整することができる。
【００１４】
第２の発明に係る表示処理装置は、第１発明において、制御手段は、格納用領域へのデータ転送を、表示用領域の１回又は所定回数の書換え毎に、所定量ずつ行うものであることを特徴とする。
【００１５】
第３の発明に係る表示処理装置は、表示用の領域及び格納用の領域を有し、格納用領域内のデータを用いて表示用領域に書き込まれるイメージにより表示装置での画面表示がなされるＶＲＡＭと、各種画面の表示に使用するデータを前記ＶＲＡＭの格納用領域に転送し、転送したデータを用いて前記表示用領域への書込みを行うことにより各種画面の表示を行う制御手段とを備えた表示処理装置において、制御手段は、格納用領域へのデータ転送を、表示用領域の１回又は所定回数の書換え毎に所定量ずつ行うものであることを特徴とする。
【００１６】
第４の発明に係る表示処理装置は、第１〜第３のいずれかの発明において、制御手段は、格納用領域へのデータ転送を、早期に使用される可能性の高いデータを優先して先に行うものであることを特徴とする。
【００１７】
第５の発明に係る表示処理装置は、第１〜第４のいずれかの発明において、制御手段は、表示中の画面における表示内容に変更があった場合において、変更後の内容を表示するために必要なデータについて格納用領域への転送がなされていないときは、直ちに該転送を行うものであることを特徴とする。
【００１８】
第６の発明に係る表示処理装置は、第１〜第５のいずれかの発明において、前記データはビットマップ形式のデータであることを特徴とする。
【００１９】
第７の発明に係る表示処理装置は、第６発明において、制御手段は、前記格納用領域へのデータ転送を、容量が大きなビットマップファイルのデータを優先して先に行うものであることを特徴とする。
【００２０】
第８の発明に係るナビゲーション装置は、第１〜第７のいずれかの発明に係る表示処理装置を用いてナビゲーションに必要な画面表示を行うことを特徴とする。
【００２１】
第９の発明に係るプログラムは、コンピュータを、第１〜第８の発明に係るいずれかの装置における制御手段として機能させることを特徴とする。
【００２２】
第１０の発明に係る表示処理方法は、制御手段が、各種画面の表示に使用するデータをＶＲＡＭの格納用領域に転送し、転送したデータを用いてＶＲＡＭの表示用領域への書込みを行うことにより、表示装置における各種画面の表示を行う表示処理方法において、制御手段が、オープニング画面用のデータを前記ＶＲＡＭの格納用領域に転送する工程と、制御手段が、前記格納用領域内のオープニング画面用のデータを用いてオープニング画面の表示を行う工程と、制御手段が、前記オープニング画面の表示後、他の画面の表示に使用するデータのうちの一部を前記格納用領域に転送する工程と、制御手段が、前記一部のデータの転送後、前記オープニング画面を他の画面に切り替える工程と、制御手段が、前記画面の切替え後、前記他の画面の表示に使用するデータのうちの前記一部以外のものを前記格納用領域に転送する工程とを具備することを特徴とする。
【００２３】
第１１の発明に係る表示処理方法は、制御手段が、各種画面の表示に使用するデータをＶＲＡＭの格納用領域に転送し、転送したデータを用いてＶＲＡＭの表示用領域への書込みを行うことにより、表示装置における各種画面の表示を行う表示処理方法において、制御手段が、格納用領域へのデータ転送を、表示用領域の１回又は所定回数の書換え毎に所定データ量ずつ行うことを特徴とする。
【発明の効果】
【００２４】
本発明によれば、画面表示に使用するビットマップデータのデータ量が多い場合でも、電源を投入してから操作入力が行えるようになるまでの起動時間をほぼ任意に設定することができる。したがって起動時間が異なる仕向けや機種の仕様に対しても柔軟に対応することができる。また、起動時間を短縮することができるので、特に、カーナビゲーションシステムや車両のリアカメラの映像表示に本発明を適用する場合、直ちにこれらの機能を使用したいユーザが多いため、有効である。また、起動時間を任意に調整できるので、処理速度がそれほど高くないＩＣやマイコンを使用することが可能であり、装置のコストアップを抑えることができる。
【発明を実施するための最良の形態】
【００２５】
図２は本発明の一実施形態に係る表示処理装置を示すブロック図である。図中の２１は制御用のプログラムや、画像表示に使用するフォント、ビットマップ（ＢＭＰ）ファイル等を記憶しているＲＯＭ、２２はＲＯＭ２１中のプログラムに従い、装置各部の動作制御やＲＯＭ２１等のアクセス制御を行うマイコン、２３はモニタ上の表示画面に対応する表示用領域及び描画データやビットマップデータを格納するための格納用領域を有するＶＲＡＭ、２４は制御マイコン２２からの命令に基づき、ＶＲＡＭ２３の表示用領域へ描画を行うことによりモニタへの表示を行うグラフィックＬＳＩである。グラフィックＬＳＩ２４は描画処理に特化した素子であり、ＶＲＡＭ２３についてのアクセス制御も行う。
【００２６】
ＲＯＭ２１中のビットマップファイルは、モニタ上で多数の画面を表示するために使用される。たとえばその個数は５００個程度で、全容量が数メガバイト程度である。ＲＯＭ２１中には、各ビットマップファイルのデータをＶＲＡＭ２３の格納用領域に転送して配置する際の配置情報も格納されている。転送される各ビットマップファイルのデータは、この配置情報に従ったアドレスに記憶される。
【００２７】
図５はモニタ上に一画面として表示される画像の一例を示す。この画像は図６に示すような１６個のビットマップファイルのデータを用いて表示される。ただし、文字の一部はフォント・データを用いて描画され、時計の針の図形は演算によって描画される。
【００２８】
この表示処理装置は、たとえばカーナビゲーションシステムに適用される。制御マイコン２２は、オープニング画面の表示中は、システムに対する操作入力を受け入れることはなく、通常画面の表示に移行してから操作入力を受け入れる。操作入力は、各種の通常画面の表示内容に応じ、タッチパネル等を介して行われる。
【００２９】
図１は図２の表示処理装置による表示処理の手順を示すフローチャートである。電源の投入により装置が起動すると（ステップ１１）、制御マイコン２２は、まず、ＲＯＭ２１からオープニング画面用のビットマップファイルを読み出してグラフィックＬＳＩ２４へ転送する。グラフィックＬＳＩ２４は転送されたビットマップファイルを、上述の配置情報に従い、ＶＲＡＭ２３中の所定のアドレスに格納する。グラフィックＬＳＩ２４は格納したビットマップファイルを用いてＶＲＡＭ２３の表示用領域への書込みを行い、オープニング画面の表示を行う（ステップ１２）。このとき、オープニング画面の表示は、たとえば２つのビットマップファイルを用いて行い、電源投入から７００[ｍｓ]経過した時点で行うことができる。オープニング画面の表示は、最初の通常画面の表示が行われるまで維持される。なお、モニタとして使用される液晶表示装置のバックライトは電源投入直後にオンとされ、オープニング画面が表示されるまでの間は、モニタは黒画面の状態を呈する。
【００３０】
次に、初期ビットマップデータ転送処理を行う（ステップ１３、１４）。すなわち、ＲＯＭ２１に格納されている通常画面の表示に使用する各ビットマップファイルのうちの一部を、上述と同様の手順で、ＶＲＡＭ２３の格納用領域に転送する。このとき転送するファイルは、通常画面として最初に表示され得る画面に使用されるもののうちの主たるものであることや、容量が大きいことを条件として選択したものである。最初の画面の表示に際し、ＲＯＭ２１から転送するファイルの容量を極力少なくして迅速に表示を行うことができるようにするためである。
【００３１】
初期ビットマップデータ転送処理が完了すると、通常画面の表示処理に移行し、制御マイコン２２は、各通常画面の表示内容に応じた操作入力の受入れを開始する。操作入力の受入れは、表示画面上に設けられたタッチパネル等を介して行うことができる。通常画面の表示処理では、ステップ１５〜１９の処理を含む描画メイン処理を、電源が切断されるまで繰り返す。この間に、操作入力や状況の変化に応じ、表示画面の種類が切り替わったり、表示内容の一部が変化したりする。なお、描画メイン処理では、処理の最後にＶＲＡＭ２３の表示用領域の書換えを毎回行う。
【００３２】
描画メイン処理ではまず、ＲＯＭ２１に格納されている通常画面の表示に使用するビットマップファイルのうち、ＲＡＭ２３へ未転送のものがあれば、そのうちの一部を転送する（ステップ１５、１６）。この処理が、描画メイン処理の繰返し毎に毎回行われることによって、通常画面の表示処理に移行してから一定期間が経過すると、通常画面の表示に使用する全ビットマップファイルの転送が完了することになる。この間、ファイルの転送は、極力容量の大きいものから順に行う。また極力、早い段階で使用される確率が高いファイルを優先して早期に転送する。
【００３３】
次に、表示中の画面の表示内容に変更があったか否かを判定する（ステップ１７）。表示内容が変更する場合としては、画面切替えにより画面の種類が変わる場合の他、画面の一部が変化する場合も含まれる。画面の種類が切り替わる場合としては、操作入力や状況変化に応じて画面種類を変更する場合、たとえばメニュー画面から選択されたナビゲーション画面に変わる場合や、ＴＶ画面の表示中に車両の走行を開始したときにナビゲーション画面に変わる場合が該当する。画面の一部が変化する場合としては、たとえば車両からの情報に基づいて何らかのアイコンやマークを追加表示するような場合や、ＯＳＤ（オン・スクリーン・ディスプレイ）によりテロップを流す場合が該当する。
【００３４】
ステップ１７において表示内容に変更がなかったと判定した場合は、必要に応じて他の処理を行い、ＶＲＡＭ２３の表示用領域の書換えを行って、描画メイン処理を終了する。表示用領域の書換えは、ステップ１７における判定結果にかかわらず、常に行われる。
【００３５】
ステップ１７において表示内容に変更があったと判定した場合には、変更後の画面が、ＲＯＭ２１からＶＲＡＭ２３へ未だ転送していないビットマップファイルのデータを使用するものであるか否かを判定する（ステップ１８）。
【００３６】
ステップ１８において未転送のデータを使用しない旨の判定をした場合には、必要に応じて他の処理を行い、ＶＲＡＭ２３の表示用領域の書換えを行って、描画メイン処理を終了する。表示用領域の書換えにより、表示内容の変更が画面に反映される。
【００３７】
ステップ１８において未転送データを使用する旨の判定をした場合には、変更後の画面に使用する未転送のビットマップファイルのデータをすべて、ＲＯＭ２１からＶＲＡＭ２３の格納領域へ転送する。このとき転送されるビットマップファイルの容量は小さく、その転送は迅速に行われる確率が高い。その後、必要に応じて他の処理を行い、ＶＲＡＭ２３の表示用領域の書換えを行って、描画メイン処理を終了する。表示用領域の書換えにより、表示内容の変更が画面に反映される。
【００３８】
本実施形態によれば、オープニング画面の表示中の初期ビットマップデータ転送処理により、通常画面の表示に使用するビットマップデータのうちの一部のみを転送するようにしたため、この一部転送の対象とするビットマップファイルの種類や容量を適切に設定しておくことにより、通常画面の表示処理へ移行し、操作入力が可能となるまでの時間を調整することができる。
【００３９】
また、一部転送の対象とするビットマップファイルとして、極力容量の大きいものを設定し、また、その後のビットマップファイルの転送も、極力容量の大きいファイルから順に行うようにしたため、各種通常画面の表示に際し、ビットマップファイルの転送を必要とする場合でも、容量の小さいものを転送するだけで足りる確率が高くなり、画面表示を迅速に行うことができる。
【００４０】
また、ビットマップファイルの転送を極力容量の大きいものから順に行うようにしたため、各画面間の切替えに要する時間のばらつきによってユーザに違和感を与えるのを防止することができる。つまり転送を容量に関係なくランダムに行うとすれば、画面表示内容が変化する場合のステップ１９におけるファイル転送の時間もランダムとなり、ある画面変更時には迅速に画面が変化するが、次の画面変更では画面変化が遅くなるといったように画面変化のスピードにばらつきが顕著に現れるおそれがある。これに対し、ファイルの転送を容量の大きい順に行えば、画面変化のスピードが徐々に速くなってゆくため、ばらつきが気になるのを防止することができる。
【００４１】
また、一部転送の対象とするビットマップファイルとして、極力最初の画面に使用される確率の高いものを設定し、また、その後のビットマップファイルの転送順も、極力早い段階で使用される確率の高いものが先に転送されるように定めたため、各種通常画面の表示に際し、ビットマップファイルの転送を必要とする場合が減少するので、表示内容の変更を迅速に行うことができる。
【００４２】
また、画面の表示内容が変更されたために、未転送のビットマップデータを使用する必要が生じた場合には、直ちにそのビットマップデータの転送を行うようにしたため（ステップ１７〜１９）、直ちに変更後の表示内容をモニタ画面上に反映させることができる。
【００４３】
図４は図１の表示処理装置を適用したカーナビゲーションシステムの構成を示すブロック図である。図中の４１〜４４はそれぞれ図１の要素２１〜２４に対応するＲＯＭ、制御マイコン、グラフィックＬＳＩ、ＶＲＡＭである。４５は制御マイコンに対する操作入力を行うための入力手段、４６はＧＰＳや、走行距離及び角速度のセンサを用いて車両の現在位置を取得する位置取得手段、４７はナビゲーション画面において表示する地図のデータを保有する地図データベース、４８は制御マイコン４２が処理を行うためのプログラムやデータを記憶するためのＲＡＭ、４９は音声による出力を行うための音声出力手段、５０は制御マイコン４２の制御によりグラフィックＬＳＩ４４を介してユーザインタフェースとしての画面表示を行うための表示装置である。なお、ＴＶチューナ、ビデオカメラ等を接続してその映像を表示装置５０に表示させたり、ＣＤプレーヤ等を接続して音声出力手段４９から再生音を出力させたりすることができるようにしてもよい。
【００４４】
この構成において、システムの電源が投入されると、制御マイコン４２は、ＲＯＭ４１に格納されているビットマップデータを用いて、オープニング画面を所定期間、表示装置５０上に表示する。この間、入力手段４５による操作入力を受け入れることはない。所定期間が経過すると、最初の通常画面、たとえばメニュー画面を表示し、入力手段４５による操作入力の受入れを開始する。したがってこの後、ユーザはナビゲーション画面等を表示させ、種々の操作を行うことができる。この間、表示装置５０上の画面表示に関しては、図１と同様な手順によって表示処理が行われる。
【００４５】
なお、本発明は上述の実施形態に限定されることなく、適宜変形して実施することができる。たとえば、上述においては、ＲＯＭ２１からＶＲＡＭ２３へ転送するデータは、ビットマップデータであったが、この代わりに又はこれに加え、フォント・データ等の他のデータを転送するようにしてもよい。
【００４６】
また、上述においては、ビットマップファイルのデータを容量順に転送するようにしているが、この代わりに、転送する全ファイルの容量を等分に分けた量ずつ転送するようにしてもよい。またステップ１６の転送を、描画メイン処理を繰り返す毎に行っているが、この代わりに、描画メイン処理を数回繰り返すごとに、又は１回の描画メイン処理中に複数回行うようにしてもよい。
【００４７】
また、上述においては、オープニング画面の表示を行い、並行して初期ビットマップデータ転送処理を行うようにしているが、この代わりに、オープニング画面の表示及び初期ビットマップデータ伝送処理を行わず、電源投入後、直ちに通常画面の表示処理へ移行するようにしてもよい。また、図１におけるステップ１５及び１６の処理と、ステップ１７〜１９の処理とを入れ替えて、処理順を逆にしてもよい。
【図面の簡単な説明】
【００４８】
【図１】図２の表示処理装置による表示処理の手順を示すフローチャートである。
【図２】本発明の一実施形態に係る表示処理装置を示すブロック図である。
【図３】電源投入後の画面表示に関する立ち上げ処理の従来の手順を示すフローチャートである。
【図４】図１の表示処理装置を適用したカーナビゲーションシステムの構成を示すブロック図である。
【図５】モニタ上に一画面として表示される画像の一例を示す図である。
【図６】図５の画面の表示に使用される１６個のビットマップファイルのデータによる図形を示す図である。
【符号の説明】
【００４９】
２１，４１：ＲＯＭ、２２，４２：制御マイコン、２３，４３：グラフィックＬＳＩ、２４，４４：ＲＡＭ、４５：入力手段、４６：位置取得手段、４７：地図データベース、４８：ＲＡＭ、４９：音声出力手段、５０：表示装置。
【図１】
2005115107.tif 000003
【図２】
2005115107.tif 000004
【図３】
2005115107.tif 000005
【図４】
2005115107.tif 000006
【図５】
2005115107.tif 000007
【図６】
2005115107.tif 000008